(57)【要約】【課題】現場付近に設置されたカメラの映像等を、モバイル端末から簡単にかつ安全に表示できるようにする。【解決手段】監視カメラが監視ネットワーク経由で録画・管理サーバーに接続されているときは、最新の認証データを照合することによってモバイルビューワーとの近接通信の通常接続が可能になる。また、監視カメラが監視ネットワーク経由で録画・管理サーバーに接続できない場合は、モバイルビューワーが予め指定された特殊認証データを用いることで、近接通信の特殊接続が可能になる。【選択図】図９
2018098658.tif 000002
【特許請求の範囲】
【請求項１】
映像を撮影する監視カメラと、前記監視カメラで撮影された映像を表示するモバイル端末と、前記監視カメラ及び前記モバイル端末に対する認証情報を管理するサーバーとが接続された映像監視システムであって、
撮像手段と、
ネットワークを介して前記監視カメラ、前記サーバー及び前記モバイル端末との間で通信を行う通信手段と、
前記ネットワークを介さずに、前記監視カメラと前記モバイル端末との間で前記通信手段による通信とは異なる通信である近接通信を行って、前記監視カメラから前記モバイル端末に前記映像を送信する近接通信手段と、
前記近接通信を行うための認証情報を管理する管理手段と、を有し、
前記モバイル端末から前記監視カメラに対する近接通信の要求に応じて、前記監視カメラ及び前記モバイル端末は、前記通信手段によって前記サーバーから第１の認証情報を取得し、
前記近接通信手段は、前記取得された第１の認証情報に基づいて、前記監視カメラと前記モバイル端末との近接通信を確立し、前記監視カメラと前記サーバーとの間で前記通信手段による通信ができない場合、前記監視カメラが前記サーバーから予め取得した第２の認証情報に基づいて、前記監視カメラと前記モバイル端末との近接通信を確立することを特徴とする映像監視システム。
【請求項２】
前記第１の認証情報は、前記モバイル端末から前記監視カメラへの近接通信の接続要求があるたびに更新される認証情報であることを特徴とする請求項１に記載の映像監視システム。
【請求項３】
前記通信手段による通信が可能であるか否かを確認する確認手段をさらに有し、
前記確認手段によって前記監視カメラと前記サーバーとの間で前記通信手段による通信ができないことが確認された場合に、前記近接通信手段は、前記通信ができなくなった時点での映像及び情報を前記監視カメラから前記モバイル端末に送信し、近接通信を継続することを特徴とする請求項１又は２に記載の映像監視システム。
【請求項４】
前記確認手段によって前記監視カメラと前記サーバーとの間で前記通信手段による通信ができることが確認された場合に、前記近接通信手段は近接通信を切断し、前記通信手段は、前記ネットワークを介して前記監視カメラから前記モバイル端末に前記撮像手段により撮影されたライブ映像を送信することを特徴とする請求項３に記載の映像監視システム。
【請求項５】
前記映像監視システムは、複数の監視カメラを有しており、
前記通信手段は、前記ネットワークを介して前記複数の監視カメラの中から選択された監視カメラから前記モバイル端末に前記撮像手段により撮影されたライブ映像を送信することを特徴とする請求項４に記載の映像監視システム。
【請求項６】
前記確認手段によって前記監視カメラと前記サーバーとの間で前記通信手段による通信ができないことが確認された場合に、前記通信手段は、前記ネットワークを介して前記サーバーから前記モバイル端末に前記監視カメラに係る情報を送信することを特徴とする請求項３に記載の映像監視システム。
【請求項７】
前記確認手段によって前記監視カメラと前記サーバーとの間で前記通信手段による通信ができないことが確認され、その後、前記監視カメラと前記サーバーとの間で前記通信手段による通信ができることが確認された場合に、前記近接通信手段は近接通信を切断し、前記通信手段は、前記ネットワークを介して前記監視カメラから前記モバイル端末に前記撮像手段により撮影されたライブ映像を送信することを特徴とする請求項３〜６の何れか１項に記載の映像監視システム。
【請求項８】
映像を表示するモバイル端末と、前記モバイル端末との近接通信を行うための認証情報を管理するサーバーとともに、映像監視システムに接続される監視カメラであって、
撮像手段と、
ネットワークを介して前記サーバー及び前記モバイル端末との間で通信を行う通信手段と、
前記ネットワークを介さずに、前記モバイル端末との間で前記通信手段による通信とは異なる通信である近接通信を行って、前記モバイル端末に前記映像を送信する近接通信手段と、を有し、
前記モバイル端末からの近接通信の要求に応じて、前記通信手段は、前記サーバーから第１の認証情報を取得し、
前記近接通信手段は、前記取得された第１の認証情報に基づいて、前記モバイル端末との近接通信を確立し、前記サーバーとの間で前記通信手段による通信ができない場合、前記サーバーから予め取得した第２の認証情報に基づいて、前記モバイル端末との近接通信を確立することを特徴とする監視カメラ。
【請求項９】
映像を撮影する監視カメラと、前記監視カメラとの近接通信を行うための認証情報を管理するサーバーとともに、映像監視システムに接続されるモバイル端末であって、
ネットワークを介して前記監視カメラ及び前記サーバーとの間で通信を行う通信手段と、
前記ネットワークを介さずに、前記監視カメラとの間で前記通信手段による通信とは異なる通信である近接通信を行って、前記監視カメラから前記映像を受信する近接通信手段と、を有し、
前記通信手段は、前記監視カメラに対して近接通信の要求を送信するとともに、前記サーバーから第１の認証情報を取得し、前記監視カメラと前記サーバーとの間で前記通信手段による通信ができない場合、前記監視カメラが前記サーバーから予め取得した第２の認証情報を前記サーバーから取得し、
前記近接通信手段は、前記取得された第１の認証情報に基づいて、前記監視カメラとの近接通信を確立し、前記監視カメラと前記サーバーとの間で前記通信手段による通信ができない場合、前記取得した第２の認証情報に基づいて、前記監視カメラとの近接通信を確立することを特徴とするモバイル端末。
【請求項１０】
映像を撮影する監視カメラと、前記監視カメラで撮影された映像を表示するモバイル端末と、前記監視カメラ及び前記モバイル端末に対する認証情報を管理するサーバーとが接続された映像監視システムの映像監視方法であって、
ネットワークを介して前記監視カメラ、前記サーバー及び前記モバイル端末との間で通信を行う通信工程と、
前記ネットワークを介さずに、前記監視カメラと前記モバイル端末との間で前記通信工程による通信とは異なる通信である近接通信を行って、前記監視カメラから前記モバイル端末に前記映像を送信する近接通信工程と、
前記近接通信を行うための認証情報を管理する管理工程と、を有し、
前記モバイル端末から前記監視カメラに対する近接通信の要求に応じて、前記監視カメラ及び前記モバイル端末は、前記通信工程において前記サーバーから第１の認証情報を取得し、
前記近接通信工程は、前記取得された第１の認証情報に基づいて、前記監視カメラと前記モバイル端末との近接通信を確立し、前記監視カメラと前記サーバーとの間で前記通信工程による通信ができない場合、前記監視カメラが前記サーバーから予め取得した第２の認証情報に基づいて、前記監視カメラと前記モバイル端末との近接通信を確立することを特徴とする映像監視方法。
【請求項１１】
映像を表示するモバイル端末と、前記モバイル端末との近接通信を行うための認証情報を管理するサーバーとともに、映像監視システムを構成する監視カメラの制御方法であって、
ネットワークを介して前記サーバー及び前記モバイル端末との間で通信を行う通信工程と、
前記ネットワークを介さずに、前記モバイル端末との間で前記通信工程による通信とは異なる通信である近接通信を行って、前記モバイル端末に前記映像として撮像手段で撮影された映像を送信する近接通信工程と、を有し、
前記モバイル端末からの近接通信の要求に応じて、前記通信工程は、前記サーバーから第１の認証情報を取得し、
前記近接通信工程は、前記取得された第１の認証情報に基づいて、前記モバイル端末との近接通信を確立し、前記サーバーとの間で前記通信工程による通信ができない場合、前記サーバーから予め取得した第２の認証情報に基づいて、前記モバイル端末との近接通信を確立することを特徴とする監視カメラの制御方法。
【請求項１２】
映像を撮影する監視カメラと、前記監視カメラとの近接通信を行うための認証情報を管理するサーバーとともに、映像監視システムに接続されるモバイル端末の制御方法であって、
ネットワークを介して前記監視カメラ及び前記サーバーとの間で通信を行う通信工程と、
前記ネットワークを介さずに、前記監視カメラとの間で前記通信工程による通信とは異なる通信である近接通信を行って、前記監視カメラから前記映像を受信する近接通信工程と、を有し、
前記通信工程は、前記監視カメラに対して近接通信の要求を送信するとともに、前記サーバーから第１の認証情報を取得し、前記監視カメラと前記サーバーとの間で前記通信工程による通信ができない場合、前記監視カメラが前記サーバーから予め取得した第２の認証情報を前記サーバーから取得し、
前記近接通信工程は、前記取得された第１の認証情報に基づいて、前記監視カメラとの近接通信を確立し、前記監視カメラと前記サーバーとの間で前記通信工程による通信ができない場合、前記取得した第２の認証情報に基づいて、前記監視カメラとの近接通信を確立することを特徴とするモバイル端末の制御方法。
【請求項１３】
請求項１１に記載の監視カメラの制御方法を制御するためのプログラム。
【請求項１４】
請求項１２に記載のモバイル端末の制御方法を実行するためのプログラム。
【発明の詳細な説明】
【技術分野】
【０００１】
本発明は、特に、監視カメラで撮影された映像を近接通信により取得して表示するために用いて好適な映像監視システム、監視カメラ及びモバイル端末、映像監視方法、監視カメラの制御方法、モバイル端末およびプログラムに関する。
【背景技術】
【０００２】
従来、複数台のネットワークカメラで撮影された映像を表示する映像監視システムにおいては、モニタ画面を分割して複数の映像を同時に表示することが行われている。特許文献１には、複数台のカメラからの映像をモニタ上に分割表示する表示装置が開示されている。
【０００３】
さらに、近年では、持ち歩きが自由なモバイル端末などに映像を表示し、ユーザーが移動しながら映像を監視することも行われている。特許文献２には、現在地から目的地までの経路を設定することで、遠隔カメラからのライブ映像を有効に切り替えて表示し、カメラ制御や制御権予約が可能な移動情報端末装置が開示されている。また、特許文献３には、位置に応じて通信経路を切り替えて通信を行う移動端末が開示されている。さらに特許文献４には、ＮＦＣやBluetooth（登録商標）等の複数の無線通信手段を有し、一方の近接無線通信手段で他方の通信設定を行い、離れてからも通信を継続できるようにした装置が開示されている。
【先行技術文献】
【特許文献】
【０００４】
【特許文献１】特開平１０−２３４０３２号公報
【特許文献２】特開２００４−１９４０１２号公報
【特許文献３】特開２００７−２９５３４９号公報
【特許文献４】特開２０１３−１８４２９７号公報
【発明の概要】
【発明が解決しようとする課題】
【０００５】
近年では、ネットワークの高速化および大容量化が進み、従来の複数ＬＡＮや無線ＬＡＮを統合した大規模ＬＡＮを利用するようになってきており、映像監視システムが管理するネットワークカメラの台数も増えてきている。監視業務において、デスクトップに比べて比較的画面サイズの小さいモバイル端末で各ネットワークカメラの映像・情報を確認する場合は、カメラごとに映像・情報を切り換えて表示する必要がある。
【０００６】
一方、映像監視システムでは、管理サーバー等の認証を得た端末だけで映像等を監視可能にする必要がある。そのため、監視業務における巡回中にモバイル端末から映像・情報を確認しようとする場合、カメラごとに映像・情報を切り換えるたびに一般的な認証技術を用いて認証する必要がある。特に、現場において、監視員が目視確認できるカメラであっても、一般的な認証技術を用いて認証する必要があり、その時点で求められている情報をすぐに表示できないという問題がある。また、通常のネットワークでカメラとの通信に異常が発生した場合などにおいて、監視員が現場にいてもカメラからの情報を簡単かつ安全に取り出して表示することができない。
【０００７】
本発明は前述の問題点に鑑み、現場付近に設置されたカメラの映像等を、モバイル端末から簡単にかつ安全に表示できるようにすることを目的としている。
【課題を解決するための手段】
【０００８】
本発明に係る映像監視システムは、映像を撮影する監視カメラと、前記監視カメラで撮影された映像を表示するモバイル端末と、前記監視カメラ及び前記モバイル端末に対する認証情報を管理するサーバーとが接続された映像監視システムであって、撮像手段と、ネットワークを介して前記監視カメラ、前記サーバー及び前記モバイル端末との間で通信を行う通信手段と、前記ネットワークを介さずに、前記監視カメラと前記モバイル端末との間で前記通信手段による通信とは異なる通信である近接通信を行って、前記監視カメラから前記モバイル端末に前記映像を送信する近接通信手段と、前記近接通信を行うための認証情報を管理する管理手段と、を有し、前記モバイル端末から前記監視カメラに対する近接通信の要求に応じて、前記監視カメラ及び前記モバイル端末は、前記通信手段によって前記サーバーから第１の認証情報を取得し、前記近接通信手段は、前記取得された第１の認証情報に基づいて、前記監視カメラと前記モバイル端末との近接通信を確立し、前記監視カメラと前記サーバーとの間で前記通信手段による通信ができない場合、前記監視カメラが前記サーバーから予め取得した第２の認証情報に基づいて、前記監視カメラと前記モバイル端末との近接通信を確立することを特徴とする。
【発明の効果】
【０００９】
本発明によれば、現場付近に設置されたカメラの映像等を、モバイル端末から簡単にかつ安全に表示させることができる。
【図面の簡単な説明】
【００１０】
【図１】監視カメラ及びビューワークライアントの内部構成例を示すブロック図である。
【図２】録画・管理サーバー及びモバイルビューワーの内部構成例を示すブロック図である。
【図３】実施形態に係る映像監視システムの全体構成例を示す図である。
【図４】監視カメラ、録画・管理サーバー及びモバイルビューワーが保持するプログラム及び各種データの例を示す図である。
【図５】監視カメラにおいて近接通信を行うための処理手順の一例を示すフローチャートである。
【図６】認証データ及び特殊認証データの例を示す図である。
【図７】モバイルビューワーの表示画面の例を示す図である。
【図８】モバイルビューワーにおいて近接通信を行うための処理手順の一例を示すフローチャートである。
【図９】第１の実施形態における概要を説明するための図である。
【図１０】第２の実施形態における概要を説明するための図である。
【図１１】第２の実施形態における録画・管理サーバーから受け取る情報の概要を説明するための図である。
【発明を実施するための形態】
【００１１】
（第１の実施形態）
以下、本発明の第１の実施形態について、図面を参照しながら説明する。
図３は、本実施形態に係る映像監視システムの全体構成例を示す図である。映像監視システムは、映像を監視ネットワーク１９５に配信する監視カメラ１００ａ〜ｃを備えている。図１に示す例では映像監視システムは３台の監視カメラ１００ａ〜ｃを備えているが、監視カメラ１００は少なくとも１台とする。
【００１２】
また、映像監視システムは、監視カメラ１００ａ〜ｃでそれぞれ撮影された映像を蓄積する録画・管理サーバー３００と、監視カメラ１００ａ〜ｃ及び録画・管理サーバー３００からの映像を表示するビューワークライアント２００とを備えている。さらに、映像監視システムは、モバイルビューワー４００ａ、ｂを備えている。図３に示す例では映像監視システムは２台のモバイルビューワー４００ａ、ｂを備えているが、モバイルビューワー４００は少なくとも１台とする。
【００１３】
監視カメラ１００ａ〜ｃ、ビューワークライアント２００、録画・管理サーバー３００及びモバイルビューワー４００ａ、ｂは、監視ネットワーク１９５を介して接続されている。また、監視カメラ１００ａ〜ｃとモバイルビューワー４００ａ、ｂとの間では、それぞれ前記監視ネットワークとは異なる近接ネットワーク１７５により相互に接続可能であり、監視ネットワーク１９５と同様に映像や情報のやり取りが可能である。なお、近接ネットワーク１７５による接続は、本実施形態では後述する認証を必要とする。
【００１４】
図３に示す例では、ビューワークライアント２００及び録画・管理サーバー３００はそれぞれ１台であるが、ビューワークライアント２００及び録画・管理サーバー３００はそれぞれ複数台備えていてもよい。また、ビューワークライアント２００及び録画・管理サーバー３００は、同一の装置で構成するようにしてもよい。また、監視カメラ１００ａ〜ｃは、時系列な電子データを生成する装置として、映像以外の音声データや温度計・接点Ｉ／Ｏなどのセンサーの時系列なイベントデータなどを送信する装置であってもよい。
【００１５】
本実施形態の映像監視システムは、主に監視業務を想定しており、ビューワークライアント２００は、数十台から数千台の監視カメラからの映像やイベントを受信し、同時にこれらの映像を表示することができるものとする。また、モバイルビューワー４００も複数台の監視カメラからの映像やイベントを受信し、同時にこれらの映像を表示することができるものとする。
【００１６】
図１は、本実施形態に係る監視カメラ１００及びビューワークライアント２００の内部構成例を示すブロック図である。図３に示す監視カメラ１００ａ〜ｃの内部構成はいずれも共通であるものとし、以下、監視カメラ１００の内部構成について説明する。
【００１７】
監視カメラ１００は、ＣＰＵ１１０、１次記憶装置１２０、２次記憶装置１３０、ビデオキャプチャＩ／Ｆ１４０、制御Ｉ／Ｆ１５０、機器Ｉ／Ｆ１６０、近接通信Ｉ／Ｆ１７０及びネットワークＩ／Ｆ１９０を備えている。そして、これの構成が内部バス１８０を介して相互に接続されている。
【００１８】
１次記憶装置１２０はＲＡＭに代表される書き込み可能な高速の記憶装置であり、ＯＳや各種プログラム及び各種データがロードされ、ＯＳや各種プログラムの作業領域としても使用される。
２次記憶装置１３０はＲＯＭやＨＤＤ、フラッシュメモリ、ＣＤ−ＲＯＭドライブ等に代表される不揮発性の記憶装置であり、ＯＳや各種プログラム、各種データなどの永続的な記憶領域として使用される。また、２次記憶装置１３０は短期的な各種データの記憶領域としても使用される。
【００１９】
ビデオキャプチャＩ／Ｆ１４０には撮像部１４５が接続され、撮像部１４５が撮影した画像データを所定のフォーマットに変換・圧縮して１次記憶装置１２０に転送する。
制御Ｉ／Ｆ１５０には雲台１５５が接続され、雲台１５５のパン機構、チルト機構、ローテーション機構、ズーム機構の状態に係る情報を取得したり、ＣＰＵ１１０からの指示に従って雲台１５５を制御したりする。
機器Ｉ／Ｆ１６０にはＩ／Ｏ機器１６５が接続され、外部からの信号・割り込みを受け付けたり、外部へ信号を出力したりする。
【００２０】
近接通信Ｉ／Ｆ１７０は、ＮＦＣやBluetooth、TransferJetなどの近接通信を無線で行うためのＩ／Ｆである。近接通信Ｉ／Ｆ１７０と同様のＩ／Ｆを備えた装置と、近接ネットワーク１７５によって相互に接続することができる。なお、近接通信Ｉ／Ｆ１７０は無線通信に限定するものではなく、ネットワークＩ／Ｆ１９０と同様で別の経路の通信として実現してもよく、クロスケーブルやシリアルケーブルで接続させてもよい。
ネットワークＩ／Ｆ１９０は、監視ネットワーク１９５と接続するためのＩ／Ｆである。ネットワークＩ／Ｆ１９０は、ＣＣＴＶカメラのように出力されてＤＶＲ等の録画機器に接続するためや、ネットワークカメラとしてのEthernet（登録商標）等の通信媒体を介して各種クライアントとの通信を行うためのＩ／Ｆを担う。
【００２１】
次に、ビューワークライアント２００の内部構成について説明する。
ビューワークライアント２００においては、ＣＰＵ２１０、１次記憶装置２２０、２次記憶装置２３０、入力Ｉ／Ｆ２４０、ディスプレイ２６０、ネットワークＩ／Ｆ２９０が内部バス２８０を介して相互に接続されている。
【００２２】
１次記憶装置２２０はＲＡＭに代表される書き込み可能な高速の記憶装置であり、ＯＳや各種プログラム及び各種データがロードされ、ＯＳや各種プログラムの作業領域としても使用される。
２次記憶装置２３０はＲＯＭやＨＤＤ、フラッシュメモリ、ＣＤ−ＲＯＭドライブ等に代表される不揮発性の記憶装置であり、ＯＳや各種プログラム、各種データなどの永続的な記憶領域として使用される。また、２次記憶装置２３０は短期的な各種データの記憶領域としても使用される。
【００２３】
入力Ｉ／Ｆ２４０は、キーボード、マウスなどの入力装置２５０から、ユーザーの操作に応じた指示を入力する。
ディスプレイ２６０は、ＣＰＵ２１０の指示に基づいて２次記憶装置２３０などに記憶された映像やその他のデータが表示される出力装置である。
ネットワークＩ／Ｆ２９０は監視ネットワーク１９５と接続するためのＩ／Ｆであり、ＣＰＵ２１０は、ネットワークＩ／Ｆ２９０を介して映像やイベント等を受信する。
【００２４】
図２は、本実施形態に係る録画・管理サーバー３００及びモバイルビューワー４００の内部構成例を示すブロック図である。
【００２５】
まず、録画・管理サーバー３００の内部構成について説明する。
録画・管理サーバー３００においては、ＣＰＵ３１０、１次記憶装置３２０、２次記憶装置３３０、入力Ｉ／Ｆ３４０、ディスプレイ３６０、ネットワークＩ／Ｆ３９０が内部バス３８０を介して相互に接続されている。
【００２６】
１次記憶装置３２０はＲＡＭに代表される書き込み可能な高速の記憶装置であり、ＯＳや各種プログラム及び各種データがロードされ、ＯＳや各種プログラムの作業領域としても使用される。
２次記憶装置３３０はＲＯＭやＨＤＤ、フラッシュメモリ、ＣＤ−ＲＯＭドライブ等に代表される不揮発性の記憶装置であり、ＯＳや各種プログラム、各種データなどの永続的な記憶領域として使用される。また、２次記憶装置３３０は短期的な各種データの記憶領域としても使用される。なお、２次記憶装置３３０は、監視カメラ１００ａ〜ｃから受信した映像を管理するのに十分な記憶容量を備えている。
【００２７】
入力Ｉ／Ｆ３４０は、キーボード、マウスなどの入力装置３５０から、ユーザーの操作に応じた指示を入力する。
ディスプレイ３６０は、ＣＰＵ３１０の指示に基づいて２次記憶装置３３０などに記憶された映像やその他のデータが表示される出力装置である。
ネットワークＩ／Ｆ３９０は監視ネットワーク１９５と接続するためのＩ／Ｆであり、ＣＰＵ３１０は、ネットワークＩ／Ｆ３９０を介して映像やイベント等を受信する。
【００２８】
次に、モバイルビューワー４００の内部構成について説明する。なお、図３に示すモバイルビューワー４００ａ、ｂの内部構成はいずれも共通するものとする。
モバイルビューワー４００は、ＣＰＵ４１０、１次記憶装置４２０、２次記憶装置４３０、入力デバイス４４０、撮像デバイス４５０、表示デバイス４６０、近接通信Ｉ／Ｆ４７０、及びネットワークＩ／Ｆ４９０を備えている。これらの構成は内部バス４８０を介して相互に接続されている。なお、モバイルビューワー４００は、撮像デバイス４５０を有しない構成としてもよい。
【００２９】
１次記憶装置４２０はＲＡＭに代表される書き込み可能な高速の記憶装置であり、ＯＳや各種プログラム及び各種データがロードされ、ＯＳや各種プログラムの作業領域としても使用される。
２次記憶装置４３０はＲＯＭやメモリ等に代表される不揮発性の記憶装置であり、ＯＳや各種プログラム、各種データなどの永続的な記憶領域として使用される。また、２次記憶装置４３０は短期的な各種データの記憶領域としても使用される。
【００３０】
入力デバイス４４０は、ユーザーの操作に応じてモバイルビューワー４００に指示を与えるための入力装置であり、操作部材、タッチパネルなどが該当する。
撮像デバイス４５０は、モバイルビューワー４００で撮影を行う撮像装置である。
表示デバイス４６０は、ＣＰＵ４１０の表示制御により、モバイルビューワー４００に映像などを表示する表示部であり、例えば、コンパクトなディスプレイである。また、表示デバイス４６０には、入力を兼ねたミニキーボードやタッチパネルなどのデバイスが接続されていてもよい。
【００３１】
近接通信Ｉ／Ｆ４７０は、ＮＦＣやBluetooth、TransferJetなどの近接通信を無線で行うためのＩ／Ｆである。近接通信Ｉ／Ｆ４７０と同様のＩ／Ｆを備えた装置と、近接ネットワーク１７５によって相互に接続することができる。なお、近接通信Ｉ／Ｆ４７０は無線通信に限定するものではなく、ネットワークＩ／Ｆ４９０と同様で別の経路の通信として実現してもよく、クロスケーブルやシリアルケーブルで接続させてもよい。
ネットワークＩ／Ｆ４９０は監視ネットワーク１９５と接続するためのＩ／Ｆであり、ＣＰＵ４１０は、ネットワークＩ／Ｆ３９０を介して映像やイベント等を受信する。本実施の形態では、ネットワークＩ／Ｆ４９０は、Wifiなどの無線LANを用いて通信を行うためのインターフェースである。なお、近接通信Ｉ／Ｆ４７０を用いて実行される近接通信は、ネットワークＩ／Ｆ４９０で行われる無線通信より近距離で行われる。
【００３２】
図４（ａ）は、監視カメラ１００が保持するプログラム及び各種データの例を示す図である。
図４（ａ）に示すように、監視カメラ１００の１次記憶装置１２０には、撮像プログラム１２０１、雲台制御プログラム１２０２、検知プログラム１２０３、配送プログラム１２０４及び近接通信プログラム１２０５が２次記憶装置１３０からロードされる。また、監視カメラ１００の２次記憶装置１３０には、認証データ１３０１、機器データ１３０２、撮像データ１３０３、設定データ１３０４などが保存される。
【００３３】
図４（ｂ）は、録画・管理サーバー３００が保持するプログラム及び各種データの例を示す図である。
図４（ｂ）に示すように、録画・管理サーバー３００の１次記憶装置３２０には、通信プログラム３２０１、蓄積プログラム３２０２、認証プログラム３２０３、及び配送プログラム３２０４が２次記憶装置３３０からロードされる。また、録画・管理サーバー３００の２次記憶装置３３０には、特殊認証データ３３０１、認証データ３３０２、録画・管理データ３３０３、設定データ３３０４などが保存される。
【００３４】
図４（ｃ）は、モバイルビューワー４００が保持するプログラム及び各種データの例を示す図である。
図４（ｃ）に示すように、モバイルビューワー４００の１次記憶装置４２０には、通信プログラム４２０１、モバイル表示プログラム４２０２、モバイル操作プログラム４２０３、登録プログラム４２０４及び近接通信プログラム４２０５がロードされる。また、モバイルビューワー４００の２次記憶装置４３０には、受領データ４３０１、モバイル機器データ４３０２、モバイル配送データ４３０３などが保存される。
【００３５】
まず、図４（ａ）に示す監視カメラ１００が保持するプログラムの詳細について説明する。
撮像プログラム１２０１は、一般的なビデオ映像処理により、撮像部１４５により映像を撮影してビデオキャプチャＩ／Ｆ１４０から２次記憶装置１３０に撮像データ１３０３を格納するためのプログラムである。なお、撮像データ１３０３を２次記憶装置１３０だけでなく１次記憶装置１２０や不図示のバッファなどに格納してもよい。
【００３６】
雲台制御プログラム１２０２は、ＣＰＵ１１０からの指示を受け、制御Ｉ／Ｆ１５０から雲台１５５を制御したり、雲台１５５から情報を取得したりして２次記憶装置１３０に機器データ１３０２を格納するためのプログラムある。つまり、雲台制御プログラム１２０２は、一般的な雲台駆動型のカメラの制御処理を行うためのプログラムである。なお、機器データ１３０２を２次記憶装置１３０だけでなく１次記憶装置１２０や不図示のバッファなどに格納してもよい。
【００３７】
検知プログラム１２０３は、ＣＰＵ１１０からの指示を受け、機器Ｉ／Ｆ１６０からＩ／Ｏ機器１６５を制御したり、Ｉ／Ｏ機器１６５から情報を取得したりして２次記憶装置１３０に機器データ１３０２を格納するためのプログラムである。つまり、検知プログラム１２０３は、一般的な接点制御処理や音声入出力処理などを行うためのプログラムである。
【００３８】
配送プログラム１２０４は、２次記憶装置１３０から設定データ１３０４を読み出して初期化し、録画・管理サーバー３００やモバイルビューワー４００と通信を行うためのプログラムである。配送プログラムにより、更新された撮像データ１３０３や機器データ１３０２を、ネットワークＩ／Ｆ１９０を介して監視ネットワーク１９５へ配送する。なお、配送先としては監視ネットワーク１９５だけでなく、１次記憶装置１２０などでもよい。つまり、配送プログラム１２０４は、一般的なネットワークカメラの配送処理や一般的な通信処理を行うためのプログラムである。
【００３９】
近接通信プログラム１２０５は、近接ネットワーク１７５での接続が行われた場合の処理を行うためのプログラムである。近接通信プログラム１２０５により、録画・管理サーバー３００から認証データ３３０２をネットワークＩ／Ｆ１９０経由で受け取り、２次記憶装置１３０に認証データ１３０１として保存する。また、詳細は後述するが、近接通信プログラム１２０５により、特殊接続のための特殊認証データ３３０１も、認証データ１３０１として保存する。このように監視カメラ１００は、録画・管理サーバー３００と通信可能な時に予め設定された特殊認証データや、直近に更新された認証データなどを認証データ１３０１として保持しておく。
【００４０】
次に、近接通信プログラム１２０５によって行われる詳細な処理手順について説明する。
図５は、本実施形態の監視カメラ１００の近接通信プログラム１２０５による処理手順の一例を示すフローチャートである。
Ｓ５０１では、ＣＰＵ１１０は、２次記憶装置１３０から設定データ１３０４を読み出して起動し、Ｓ５０２では、イベントが発生するまで待機する。
【００４１】
Ｓ５０３では、ＣＰＵ１１０は、録画・管理サーバー３００から特殊認証データ３３０１または認証データ３３０２をネットワークＩ／Ｆ１９０経由で受信したか否かを判定する。この判定の結果、特殊認証データ３３０１または認証データ３３０２を受信した場合は、Ｓ５０４において、ＣＰＵ１１０は、２次記憶装置１３０に保存されている認証データ１３０１を更新する。一方、特殊認証データ３３０１も認証データ３３０２も受信していない場合は、Ｓ５０９に進む。
【００４２】
続いてＳ５０５では、ＣＰＵ１１０は、モバイルビューワー４００から近接通信による通常接続更新要求を受信するのを所定の時間が経過するまで待機する。そして、所定の時間が経過しても通常接続更新要求を受信しなかった場合は、Ｓ５０８において、ＣＰＵ１１０は、近接通信を切断する。
【００４３】
一方、Ｓ５０５において、所定の時間内に通常接続更新要求を受信した場合は、Ｓ５０６において、ＣＰＵ１１０は、通常接続更新要求が２次記憶装置１３０に保存されている認証データ１３０１に対して合致する認証情報を含むものである否かを判定する。この判定の結果、合致する認証情報を含むものである場合は、Ｓ５０７において、ＣＰＵ１１０は、近接通信Ｉ／Ｆ１７０での接続の認証または再認証を行って近接通信を有効にする。一方、合致する認証情報を含むものでない場合は、Ｓ５０８に進む。
【００４４】
一方、Ｓ５０９では、ＣＰＵ１１０は、モバイルビューワー４００から近接通信による通常接続要求を受信したか否かを判定する。この判定の結果、通常接続要求を受信していない場合は、Ｓ５１７に進む。一方、通常接続要求を受信した場合は、Ｓ５１０において、ＣＰＵ１１０は、２次記憶装置１３０に記憶された機器データ１３０２を参照し、録画・管理サーバー３００へ新たな認証データ３３０２を要求可能な通信状況であるか否かを判定する。この判定の結果、要求可能な通信状況である場合は、Ｓ５１１において、ＣＰＵ１１０は、ネットワークＩ／Ｆ１９０経由で録画・管理サーバー３００へ新たな認証データ３３０２の要求を送信する。そして、Ｓ５１２では、ＣＰＵ１１０は、モバイルビューワー４００に認証中ステータスを返答する。
【００４５】
一方、Ｓ５１０の判定の結果、新たな認証データ３３０２を要求可能な通信状況でない場合は、Ｓ５１３において、ＣＰＵ１１０は、モバイルビューワー４００に通常認証不可ステータスを返答する。そして、Ｓ５１４において、ＣＰＵ１１０は、モバイルビューワー４００から近接通信の特殊接続要求を受信するのを所定の時間まで待機する。そして、所定の時間までに近接通信の特殊接続要求を受信しなかった場合は、Ｓ５０２に戻る。
【００４６】
一方、所定の時間が経過するまでに近接通信の特殊接続要求を受信した場合は、Ｓ５１５において、ＣＰＵ１１０は、特殊接続要求が２次記憶装置１３０に保存されている認証データ１３０１に対して合致する認証情報を含むものであるか否かを判定する。ここで、監視カメラ１００は、監視ネットワーク１９５と正常に接続されている時に録画・管理サーバー３００から予め特殊認証データ３３０１を認証データ１３０１として取得している。つまり、この判定では、特殊認証データ同士の比較を行うものである。この判定の結果、合致する認証情報を含むものである場合は、Ｓ５１６において、ＣＰＵ１１０は、近接通信Ｉ／Ｆ１７０での接続の認証を行って近接通信を行う。一方、合致する認証情報を含むものでない場合は、Ｓ５０２に戻る。
【００４７】
一方、Ｓ５１７では、ＣＰＵ１１０は、近接通信接続のタイムアウトに達したか否かを判定する。この判定の結果、近接通信接続のタイムアウトに達してない場合はＳ５１９に進み、タイムアウトに達した場合はＳ５１８に進む。Ｓ５１８では、ＣＰＵ１１０は、近接通信を切断し、Ｓ５０２に戻る。
【００４８】
Ｓ５１９では、ＣＰＵ１１０は、活線チェックを行うタイミングに到達したか否かを判定する。この判定の結果、活線チェックを行うタイミングに到達した場合は、Ｓ５２０において、ＣＰＵ１１０は、ネットワークＩ／Ｆ１９０経由で録画・管理サーバー３００との接続状況を確認し、機器データ１３０２を更新する。そして、Ｓ５０２に戻る。
【００４９】
一方、Ｓ５１９の判定の結果、活線チェックを行うタイミングに到達していない場合は、Ｓ５２１において、ＣＰＵ１１０は、終了イベントが発生したか否かを判定する。この判定の結果、終了イベントが発生した場合は処理を終了し、そうでない場合はＳ５０２に戻る。以上のように近接通信プログラム１２０５により、近接ネットワーク１７５を通信経路として確立し、利用することができる。
【００５０】
次に、図４（ｂ）に示す録画・管理サーバー３００が保持するプログラムの詳細について説明する。
通信プログラム３２０１は、監視カメラ１００やビューワークライアント２００、モバイルビューワー４００から監視ネットワーク１９５を経由して配送された情報を受け取るためのプログラムである。通信プログラム３２０１により、受け取った情報を例えば録画・管理データ３３０３として２次記憶装置３３０に保持したり、各種プログラムに通知したりする。つまり、通信プログラム３２０１は、一般的な通信処理、特に映像録画処理を行うためのプログラムである。
【００５１】
蓄積プログラム３２０２は、２次記憶装置３３０の録画・管理データ３３０３が更新されたり、通信プログラム３２０１から通知を受けたりしたことにより、データを処理するためのプログラムである。蓄積プログラム３２０２により、例えば、監視カメラ１００のＩＤや日時などの属性を映像データに埋め込んだり、イベントの情報と関連付けたりして、録画・管理データ３３０３として保存する。つまり、蓄積プログラム３２０２は、一般的な映像蓄積処理を行うためのプログラムである。
【００５２】
認証プログラム３２０３は、監視カメラ１００から認証データの要求を受けたことにより、新たな認証データ３３０２を生成するためのプログラムである。また、認証プログラム３２０３により、予め特殊認証データ３３０１を生成し、監視カメラ１００に設定させることもできる。さらに、認証プログラム３２０３により、モバイルビューワー４００による登録を承認して、認証データ３３０２や特殊認証データ３３０１などをモバイルビューワー４００に送信することもできる。
【００５３】
本実施形態の認証プログラム３２０３では、従来のタスクの技術で定期的に認証データ３３０２や特殊認証データ３３０１を更新して通知する。また、認証データ３３０２には、その更新履歴も保持される。認証プログラム３２０３は、要求に応じて順次履歴を返答したり、特定の時点の認証データ３３０２の履歴を、特殊認証データ３３０１として返したりすることもできる。
【００５４】
図６は、特殊認証データ３３０１及び認証データ３３０２の詳細な例を説明するための図である。
図６に示すように、認証データ３３０２は、監視カメラ１００から認証要求（認証データの要求）があるたびに更新され、その履歴が記録される。具体的には、更新日時と認証要求を行った監視カメラのＩＤなどの履歴が記録される。
【００５５】
一方、特殊認証データ３３０１は、例えば毎日の特定の時刻などの定期的に更新され、予め監視カメラ１００に設定される。なお、特殊認証データ３３０１では、図６に示すように、監視カメラごとに最新に設定されたデータだけが保持されている。なお、例えば認証データ３３０２の履歴をたどり、一番最近に更新された認証データ３３０２を特殊認証データ３３０１としてもよい。
【００５６】
配送プログラム３２０４は、２次記憶装置３３０から設定データ３３０４を読み出して初期化し、要求に応じて録画・管理データ３３０３をネットワークＩ／Ｆ３９０から配信するためのプログラムである。配送プログラム３２０４により、例えば、モバイルビューワー４００などの要求に応じて、蓄積された録画・管理データ３３０３をネットワークＩ／Ｆ３９０を介して監視ネットワーク１９５へ配信する。つまり、配送プログラム３２０４は、一般的な通信処理、特に映像配信処理を行うためのプログラムである。
【００５７】
次に、図４（ｃ）に示すモバイルビューワー４００が保持するプログラムの詳細について説明する。
通信プログラム４２０１は、監視カメラ１００や録画・管理サーバー３００からネットワークＩ／Ｆ４９０を経由してデータを取得し、２次記憶装置４３０に保存するためのプログラムである。通信プログラム４２０１により、例えば、監視カメラ１００や録画・管理サーバー３００から機器データ１３０２や撮像データ１３０３、録画・管理データ３３０３を受信し、２次記憶装置４３０にモバイル配送データ４３０３として保存する。つまり、通信プログラム４２０１は、一般的な通信処理、特に映像受信処理を行うためのプログラムである。本実施形態では、通信経路として監視ネットワーク１９５に限らず、近接ネットワーク１７５を経由して近接通信Ｉ／Ｆ４７０から機器データ１３０２や撮像データ１３０３を受信することができる。
【００５８】
モバイル表示プログラム４２０２は、２次記憶装置４３０のモバイル配送データ４３０３が更新されると、表示デバイス４６０に映像を表示するためのプログラムである。つまり、モバイル表示プログラム４２０２は、一般的な表示処理を行うためのプログラムである。
【００５９】
図７には、モバイル表示プログラム４２０２によって映像が表示される場合の表示例を示す。モバイル配送データ４３０３が更新されると、表示デバイス４６０の表示画面７０１の映像領域７０２に映像が表示され、その他領域７０３には、モバイル機器データ４３０２や受領データ４３０１が表示される。その他領域７０３に表示されるものとしては、例えば、監視カメラ上のイベントの発生、カメラの制御状況、音声のレベルなどが該当する。また、図７に示す例では、映像領域が１つであるが、複数の監視カメラから映像を入力する場合は、複数の映像領域を設けるものとする。
【００６０】
モバイル操作プログラム４２０３は、イベントに応じた制御を行うためのプログラムである。モバイル操作プログラム４２０３によって、モバイルビューワー４００からイベントを発生させたり、監視カメラ１００から通知される機器データ１３０２や、録画・管理サーバー３００から通知される録画・管理データ３３０３に応じた処理を行ったりする。例えば、メニューからの要求に応じてカメラＩＤを選択したり、データを表示したり、検知された情報に応じた表示・再生等を行ったりする。つまり、モバイル操作プログラム４２０３は、一般的な映像端末の操作処理を行うためのプログラムである。
【００６１】
登録プログラム４２０４は、モバイルビューワー４００を録画・管理サーバー３００に登録して認証可能にするためのプログラムである。録画・管理サーバー３００に監視ネットワーク１９５経由で接続し、承認を受けた場合は登録プログラム４２０４により登録してモバイル機器データ４３０２等に情報を保持する。つまり、登録プログラム４２０４は、機器認証を行うためのプログラムである。録画・管理サーバー３００がモバイルビューワー４００の登録を承認すると、認証データ３３０２や特殊認証データ３３０１などを受け取ることができる。
【００６２】
近接通信プログラム４２０５は、監視カメラ１００に近接した際に、近接通信での通常接続や特殊接続を要求し、監視カメラ１００との通信を確立するためのプログラムである。以下、図８のフローチャートを参照しながら、近接通信を行うまでの処理手順について説明する。
【００６３】
図８は、モバイルビューワー４００において近接通信を行うまでの処理手順の一例を示すフローチャートである。
まず、Ｓ８０１において、ＣＰＵ４１０は、２次記憶装置４３０からモバイル機器データ４３０２を読み出す。そして、Ｓ８０２では、ＣＰＵ４１０は、モバイル機器データ４３０２を参照し、モバイルビューワー４００が録画・管理サーバー３００に登録されているか否かを判定する。この判定の結果、予め登録されている場合は、Ｓ８０５において、ＣＰＵ４１０は、イベントの発生を待機する。
【００６４】
一方、Ｓ８０２の判定の結果、モバイルビューワー４００が登録されていない場合は、Ｓ８０３において、ＣＰＵ４１０は、ネットワークＩ／Ｆ４９０を介して録画・管理サーバー３００に接続し、承認を要請する。そして、Ｓ８０４において、ＣＰＵ４１０は、録画・管理サーバーから承認を受けたか否かを判定する。承認を受けた場合はＳ８０５に進み、承認を受けなかった場合は処理を終了する。承認を受けた場合は、録画・管理サーバー３００から認証データ３３０２または特殊認証データ３３０１を受け取ることができるようになる。そして、登録プログラム４２０４によって、認証データ３３０２または特殊認証データ３３０１がモバイル機器データ４３０２として登録される。
【００６５】
Ｓ８０６では、ＣＰＵ４１０は、モバイル操作プログラム４２０３によって、モバイルビューワー４００が監視カメラ１００と近接通信を行うイベントが発生したか否かを判定する。この判定の結果、近接通信を行うイベントが発生していない場合は、Ｓ８１５に進み、近接通信を行うイベントが発生した場合は、Ｓ８０７において、ＣＰＵ４１０は、近接通信での通常接続要求を監視カメラ１００にネットワークＩ／Ｆ４９０を介して送信する。
【００６６】
次に、Ｓ８０８では、ＣＰＵ４１０は、通常接続要求に対するレスポンスを所定の時間待機する。そして、所定の時間までにレスポンスを受け取らなかった場合はＳ８０５に戻る。一方、所定の時間までにレスポンスを受け取った場合は、Ｓ８０９において、ＣＰＵ４１０は、レスポンスの内容が認証中ステータスであるか否かを判定する。この判定の結果、レスポンスの内容が認証中ステータスである場合は、Ｓ８１０において、ＣＰＵ４１０は、録画・管理サーバー３００に対して、最新の認証データ３３０２を要求する。そして、最新の認証データ３３０２を受け取ると、ＣＰＵ４１０は、監視カメラ１００に対して通常接続更新要求を行う。通常接続更新要求を行う際には、監視カメラ１００側で認証データを確認するために、通常接続更新要求の中に認証情報として最新の認証データ３３０２に係る情報を含むようにする。そして、Ｓ８１１において、ＣＰＵ４１０は、監視カメラ１００との間で近接通信における通常接続を確立する。
【００６７】
一方、Ｓ８０９の判定の結果、レスポンスの内容が認証中ステータスでない場合は、Ｓ８１２において、ＣＰＵ４１０は、レスポンスの内容が通常認証不可ステータスであるか否かを判定する。この判定の結果、レスポンスの内容が通常認証不可ステータスでない場合はＳ８０５に戻り、通常認証不可ステータスである場合はＳ８１３に進む。
【００６８】
Ｓ８１３では、ＣＰＵ４１０は、録画・管理サーバー３００に対して、特殊認証データ３３０１を要求する。特殊認証データ３３０１を受け取ると、ＣＰＵ４１０は、監視カメラ１００に対して特殊接続要求を行う。特殊接続要求を行う際には、監視カメラ１００側で特殊認証データを確認するために、特殊接続要求の中に認証情報として特殊認証データ３３０１に係る情報を含むようにする。そして、Ｓ８１４において、ＣＰＵ４１０は、監視カメラ１００との間で近接通信における特殊接続を確立する。
【００６９】
Ｓ８１５では、ＣＰＵ４１０は、モバイル操作プログラム４２０３によって、終了イベントを受けたか否かを判定する。この判定の結果、終了イベントを受けた場合は処理を終了し、そうでない場合はＳ８０５に戻る。
【００７０】
図９は、本実施形態を説明するための図である。以上のように本実施形態によれば、監視カメラ１００が監視ネットワーク１９５経由で録画・管理サーバー３００に接続されているときは、最新の認証データを照合することによってモバイルビューワー４００との近接通信の通常接続が可能になる。これにより、モバイルビューワー４００は、監視カメラ１００の映像及び情報を近接通信により取得して表示させることができる。また、監視カメラ１００が監視ネットワーク１９５経由で録画・管理サーバー３００に接続できない場合は、モバイルビューワー４００が予め指定された特殊認証データを用いることで、近接通信の特殊接続が可能になる。これにより、モバイルビューワー４００は、監視カメラ１００の映像及び情報を近接通信により取得して表示させることができる。このように、通常の監視ネットワーク１９５が切断された状況でも、監視カメラ１００の映像や情報を、安全にモバイルビューワー４００に表示させることができる。
【００７１】
なお、ビューワークライアント２００の処理およびプログラムの詳細な説明は省略したが、ビューワークライアント２００では、録画・管理サーバー３００が保持する録画・管理データ３３０３をネットワークＩ／Ｆ２９０から取得する。そして、取得した録画・管理データ（映像データ）をディスプレイ２６０に表示することができる。表示態様としては図７と同様である。
【００７２】
（第２の実施形態）
第１の実施形態では、監視カメラ１００とモバイルビューワー４００との間で近接通信により映像などの情報を転送できるようにする例について説明した。一方、通常時は監視ネットワーク１９５を経由しても映像などの情報をやり取りすることができるため、本実施形態では、監視ネットワーク１９５をさらに用いる例について説明する。なお、本実施形態に係る映像監視システムの構成、及び個々の装置の内部構成については第１の実施形態と同様であるため、説明は省略する。以下、第１の実施形態と異なる点についてのみ説明する。
【００７３】
本実施形態では、図１０に示すように、モバイルビューワー４００は、通常時は監視カメラを選択して監視ネットワーク１９５経由でライブ映像などの映像及び情報を監視カメラから取得する。監視カメラを選択する手順については特に限定されないが、ユーザーの操作によって、入力デバイス４４０から選択するようにしてもよく、ＣＰＵ４１０が最も近い監視カメラ１００を選択してもよい。一方、監視カメラ１００と録画・管理サーバー３００との接続が切れている場合は近接ネットワーク１７５で監視カメラ１００と接続し、接続が切れた時に監視カメラ１００で蓄積された映像を表示させるなど、表示する情報も切り換える。
【００７４】
図８のＳ８１１では、ＣＰＵ４１０は、通常の近接通信を確立して、監視カメラ１００から近接通信で監視カメラ１００の情報を受け取り、録画・管理サーバー３００に通常の監視ネットワーク１９５経由での接続要求を送る。そして、通信プログラム４２０１により、監視カメラ１００からライブ映像をネットワークＩ／Ｆ４９０経由で取得し、モバイル表示プログラム４２０２によりライブ映像を表示させる。このとき、近接通信は切断するようにする。こうすることにより、通常の監視ネットワーク１９５経由で、モバイルビューワー４００に、該当する監視カメラ１００の映像を容易に表示させることができる。
【００７５】
一方、Ｓ８１４では、ＣＰＵ４１０は、特殊接続による近接通信を確立し、監視カメラ１００から近接通信で監視カメラ１００の情報を受け取る。受け取る情報としては、図５のＳ５２０で更新された機器データ１３０２が含まれており、機器データ１３０２から、録画・管理サーバー３００との通信が切れた時点のログを検索することができる。つまり、特殊接続による近接通信により、通信が切れた時点で監視カメラ１００に蓄積された映像及びその時点のログを取得し、モバイル表示プログラム４２０２により表示させる。この場合、近接通信の確立は維持して操作可能な状態を続けるようにする。
【００７６】
さらに、モバイルビューワー４００は、通常の監視ネットワーク１９５で録画・管理サーバー３００にも接続可能である。また、録画・管理サーバー３００には、現在通信できない監視カメラ１００に関連する情報（録画映像やログ等）が保持されている。そのため、図１１に示すように、モバイルビューワー４００は、近接通信を確立中の監視カメラ１００に関する録画・管理サーバー３００に保持された情報を取得して表示させるようにしてもよい。
【００７７】
以上のように本実施形態では、近接通信を異常時の通信経路として用い、さらに、通信異常に関連する可能性のある映像及びログ情報を真っ先にモバイルビューワー４００に表示させることができる。これにより、該当する監視カメラ１００の好適な情報を表示させることができ、さらに録画・管理サーバー３００に保持されている異常時に関係する情報も表示させることができる。
【００７８】
以上の処理が組み合わされることにより、モバイルビューワー４００を監視カメラ１００に近接させ、通常の監視ネットワーク１９５が正常な場合には、その監視カメラのライブ映像が選択・表示される。一方、監視ネットワーク１９５と切断されている監視カメラについては、近接通信を確立して、断線時の蓄積映像やログを表示させ、その後の操作を待つように近接通信を維持できる。
【００７９】
（第３の実施形態）
第２の実施形態では、監視カメラ１００が監視ネットワーク１９５と切断されている場合に、モバイルビューワー４００は近接通信により蓄積映像やそのログ情報を得ていた。本実施形態では、異常時に近接通信を維持している間に、各種情報を得て操作し、監視ネットワーク１９５との接続が回復した場合にも、表示される映像や情報を切り換える。なお、本実施形態に係る映像監視システムの構成、及び個々の装置の内部構成については第２の実施形態と同様であるため、説明は省略する。以下、第２の実施形態と異なる点についてのみ説明する。
【００８０】
図５のＳ５２０では、さらに、活線チェックにより切断状態から接続可能になった場合に、回線復活のイベントを発生させ、モバイルビューワー４００に送る。そして、モバイルビューワーに４００からの応答を待ち、その後、近接通信を切断してＳ５０２に戻るようにする。
【００８１】
モバイルビューワー４００では、図８の判定でＮｏの場合に、ＣＰＵ４１０は回線復活のイベントが発生したか否かを判定する。そして、そのイベントが発生していない場合はＳ８１５に進み、そのイベントが発生した場合は、監視ネットワーク１９５経由で監視カメラ１００に接続するようにし、監視カメラ１００に応答を返す。これにより、近接通信は切断され、Ｓ８０５に戻ってイベント待機状態になる。
【００８２】
なお、監視ネットワーク１９５経由で接続する処理については、第２の実施形態のＳ８１１の処理でも実現できる。つまり、近接通信を切断した際に、監視カメラ１００へイベントの応答を返すようにしてもよい。
【００８３】
以上のように本実施形態によれば、監視カメラ１００が録画・管理サーバー３００と接続可能になった場合には、近接通信を切断して、通常の監視ネットワーク１９５経由で録画・管理サーバー３００からライブ映像を取得する。このように、監視カメラ１００の接続状況に応じて好適な映像・情報をモバイルビューワー４００で表示させることができる。
【００８４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８５】
１１０、４１０  ＣＰＵ
１７０、４７０  近接通信Ｉ／Ｆ
１９０、４９０  ネットワークＩ／Ｆ
【図１】
2018098658.tif 000003
【図２】
2018098658.tif 000004
【図３】
2018098658.tif 000005
【図４】
2018098658.tif 000006
【図５】
2018098658.tif 000007
【図６】
2018098658.tif 000008
【図７】
2018098658.tif 000009
【図８】
2018098658.tif 000010
【図９】
2018098658.tif 000011
【図１０】
2018098658.tif 000012
【図１１】
2018098658.tif 000013